(57)【特許請求の範囲】
【請求項１】
取付用螺着具24が挿入される孔部６の少なくとも開口端内面を、プラスチックとし、このプラスチック開口端内面に、外方拡径状のテーパ部11を、５°〜30°の傾斜角度θにて形成し、かつ、プラスドライバー13のビット先端13ａが挿入可能な十字溝部12を上記プラスチック開口端内面に凹設し、しかも、ビット先端13ａのプラス歯の基端Ｐが、アンカー基端面14よりも 2.0mm〜 5.0mmの沈み込み寸法Ｔだけ沈み込んで、挿入可能として、孔奥部噛合部15を形成し、かつ、上記外方拡径状のテーパ部11及び上記十字溝部12を形成することによって上記プラスチック開口端面内面に、異種の外径の上記螺着具24が対応可能に構成され、さらに、先端に穿孔刃１が形成されると共に軸部外周２ａに螺旋状雄ねじ突条３を有し、かつ、上記孔部６の奥部から先端近くまで、軸部２に２本の脚片９，９を形成するスリット部７を設け、該スリット部７の先端で上記両脚片９，９を連結する仮連結部８を設け、上記取付用螺着具24の螺進に伴って上記仮連結部８が切断して上記両脚片９，９が開脚するように構成したことを特徴とするアンカー。
【発明の詳細な説明】
【０００１】
【発明の属する技術分野】
本発明は、建築用のアンカーに関する。
【０００２】
【従来の技術】
石膏ボード等に使用されるアンカーとして、従来、全体が金属製であって、かつ、雄ねじ突条を軸部外周に突設して、セルフタッピングしつつ石膏ボード等に螺着し、その後に、被取付物を取付ける螺着具を、このアンカーの孔部に螺着するものが、公知であった。この従来のアンカーでは、上記セルフタッピングのためにプラスドライバーを使用するが、そのため螺着具の挿入される孔部は十字型として、その開口端まで同一の横断面形状であった。
【０００３】
【発明が解決しようとする課題】
ところで、建築の現場や各家庭に於て、トイレットペーパーホルダや棚等の各種のものを石膏ボード等に取付ける際に、従来の上記アンカーを使用すると、次のような問題が発生していた。
【０００４】
即ち、このアンカーに対して、例えば、３mm〜６mmと異種のビス（螺着具）が（多種多様に）使用されるので、（例えば、）４mmのビス用にアンカーの十字型の孔を製作しておくと、 4.5mmとなると螺進が難しい。逆に、３mmのビスを使用すると強固に止着することができず、引き抜けてしまうことがある。
【０００５】
このように、所定の寸法プラグには所定のビス（螺着具）を必要とし、作業の現場にて、例えば、トイレットペーパーに予め付属のビスの径が大きすぎたり小さすぎると、確実な取付作業ができず、作業者が困るということが多発しているのが実状である。
【０００６】
【課題を解決するための手段】
本発明に係るアンカーは、取付用螺着具が挿入される孔部の少なくとも開口端内面を、プラスチックとし、このプラスチック開口端内面に、外方拡径状のテーパ部を、５°〜30°の傾斜角度にて形成し、かつ、プラスドライバーのビット先端が挿入可能な十字溝部を上記プラスチック開口端内面に凹設し、しかも、ビット先端のプラス歯の基端が、アンカー基端面よりも 2.0mm〜 5.0mmの沈み込み寸法だけ沈み込んで、挿入可能として、孔奥部噛合部を形成し、かつ、上記外方拡径状のテーパ部及び上記十字溝部を形成することによって上記プラスチック開口端面内面に、異種の外径の上記螺着具が対応可能に構成され、さらに、先端に穿孔刃が形成されると共に軸部外周に螺旋状雄ねじ突条を有し、かつ、上記孔部の奥部から先端近くまで、軸部に２本の脚片を形成するスリット部を設け、該スリット部の先端で上記両脚片を連結する仮連結部を設け、上記取付用螺着具の螺進に伴って上記仮連結部が切断して上記両脚片が開脚するように構成したものである。
【０００７】
【発明の実施の形態】
以下、本発明の実施の形態を図面に基づいて詳説する。
【０００８】
図１〜図６に於て、このアンカーは主として石膏ボードに使用され、全体が硬質プラスチックから成り、先端に穿孔刃１が形成された軸部２とその外周２ａに突設された螺旋状雄ねじ突条３とを有するアンカー本体部４と、その基端のフランジ頭部５と、を備えている。
【０００９】
そして、後述の図８の取付状態に示す如く、ビスやボルト等の取付用螺着具24が挿入される孔部６を軸心に有し、その孔部６の奥部から先端近くまで、スリット部７が形成されている。螺着具24の螺進に伴って軸部２はこのスリット部７から二股状に開脚する（図８参照のこと）。
【００１０】
図例では、穿孔刃１の付根部近傍で「く」の字状に折曲っており、そのスリット部７の先端は、仮連結部８にて２本の脚片９，９が連結され、石膏ボード等への螺進時に、２本の脚片９，９がばらばらでは強度的に弱いのを、相互に補強し合っている。この仮連結部８は図８に示すように最終取付状態では切断して、２本の脚片９，９が拡大して、強固に石膏ボード10に止着される。
【００１１】
そして、図８のように取付用螺着具24が挿入される孔部６の少なくとも開口端内面をプラスチックとする。図１と図８ではアンカー全体を硬質のプラスチックとしている場合を示す。
【００１２】
この孔部６の開口端内面に、（図４の▲５▼−▲５▼断面を示した）図５で明らかな如く、外方拡径状のテーパ部を形成し、図５に仮想線にて示すようにねじ径が相違する（異種の外径ｄ1 ，ｄ2 の）螺着具24が対応可能───螺進可能───に構成されている。特にプラスチックであるため、螺着具24の外径がｄ1 乃至ｄ2 と相違しても、セルフタッピングしつつ、比較的スムースに螺進可能である。
【００１３】
ところで、図４と（その▲６▼−▲６▼断面を示した）図６に示すように、十字溝部12が、外方拡径状の上述の開口端内面に、凹設され、プラスドライバー13のビット先端13ａが挿入可能───噛合可能───である。しかも、ビット先端13ａのプラス歯の基端Ｐは、アンカー基端面14───フランジ頭部５の上面───よりも、 2.0mm以上沈み込んで挿入されるように、孔部６の奥部（内部）まで十字溝部12を深く刻設（形成）する。このように、本発明のアンカーは、孔奥部噛合部15を有している。
【００１４】
図６に於て、破線Ｃで示すのは図５のテーパ部11の位置である。この破線Ｃと、（実線で示した）十字溝部12との段差───図４に於て三角山形に90°ピッチで突出形成されているところ───が、孔奥部噛合部15である。
【００１５】
プラスチックは大きな回転トルクが与えられると亀裂を生じ易い欠点があるにかかわらず、本発明では、孔部６の内部位置に、噛合部15を配設したので、その亀裂を有効に防止できて、大きなトルクを付与可能となる。
【００１６】
なお、沈み込み寸法Ｔを、 2.0mm〜 5.0mmに設定するのが好ましい。Ｔが 2.0mm未満であると、上述の亀裂防止効果が小さく、逆に、Ｔが 5.0mmを越えると、不必要に孔部の比較的大きな横断面の部分が深く形成されることに伴って、アンカーのその周囲壁の肉厚が薄くなり、強度的に不利となるからである。なお、図１と図２と図３で明らかなように、軸部２の基端に、外方拡径テーパ部16を形成しているのは、上述の周囲壁の肉厚の補強のためであり、このようにすることは、図８のように石膏ボード10に螺着時の固定強度の点からも、望ましい。
【００１７】
次に、異種径の螺着具24に適用可能である上述のテーパ部11の傾斜角度θ───軸心に対する片面側の角度を言う───は、５°〜30°が好ましい。この傾斜角度θが５°未満であると、孔部６が長くなり過ぎ、また、30°を越えると円滑に螺着具24のセルフタッピングが行われにくくなる。
【００１８】
また、図５に於て、このテーパ部11の開口端径Ｄ2 と奥部最小径Ｄ1 との比は、（ 1.2〜 3.5）とするのが良い。特に、（ 1.5〜 3.2）が望ましい。その理由は、下限よりも小さいと異種径の螺着具24の適用範囲が狭く実用上好ましくないからであり、逆に、上限を越えると、種々の径の螺着具24に適用できるように（一見すれば）考えられるが、アンカーとしての他の部位の寸法と強度が、アンバランスとなる（螺着具の適用ねじ径に対して）。
【００１９】
これに伴って、螺着具24として使用できる最大ねじ径と最小ねじ径の比は、（ 1.3〜 3.3）となり、特に、（ 1.4〜 3.0）とするのが望ましい。
【００２０】
また、図７は別の実施の形態であり、外方拡径状のテーパ部11ａ, 11ｂ，11ｃ…が複数個配設され、その間にストレート部が介設された形状となっている。このときの傾斜角度θ、及び、Ｄ2 ／Ｄ1 等も既述の図５の実施の形態と同様であり、説明を省略する。
【００２１】
このように構成された本発明に係るアンカーの使用方法を説明すると、まず、十字（プラス）ドライバー13のビット先端13ａを（図６のように）挿入して、孔奥部噛合部15にて噛合させ、回転を与えて、石膏ボード10へねじ込む。プラスチック製アンカーであるといえども、内部にその回転トルクを受ける孔奥部噛合部15を有するので、亀裂等を生じないで、石膏ボードにセルフタッピングしつつ、雄ねじ突条３が螺進してゆく。先端の穿孔刃１が下孔を明けて先に進むため、スムースにセルフタッピングが可能である。なお、この穿孔刃１の形状は種々変形自由である。
【００２２】
かつ、仮連結部８にて両脚片９，９が連結されているので、両脚片９，９が、各々、曲ったり折れることが、防止される。最後にテーパ部16がボード10に圧入されるので、がたつきが無くアンカーが固着される。
【００２３】
次に、被取付物17───トイレットペーパーホルダ、棚、棚取付金具、吊金具等───を、螺着具24にて取付けるが、螺着具24が螺進するに伴って、仮連結部８が切断して両脚片９，９は拡大（開脚）する。この螺着具24の外径───ねじ径───が大小種々異なっていても、本アンカーはテーパ部11を備えているので、円滑に螺進できる（適用自在である）。
【００２４】
なお、図示省略したが、金属製の軸部２と雄ねじ突条３に対し、その孔部にプラスチック短円筒体を圧入や接着や融着等にて一体化して、開口端内面をプラスチックとして、上述の如き、形状・寸法に構成するも、自由である。
【００２５】
【発明の効果】
本発明は、上述の構成により次のような著大な効果を奏する。
【００２６】
▲１▼  １種類のアンカーにて、各家庭・各現場に於て、寸法不明の螺着具24又は種々の寸法の螺着具24…を、簡単にそのまま使用できて、作業の迅速・容易化を図り得る。かつ、螺着具は傾かないで真直に螺進して、強固に取付けが可能である。また、迅速かつ確実な、かつ強固な取付けができる。
【００２７】
▲２▼  プラスドライバー13にて強力な回転トルクを付与できる。即ち、アンカーの孔部６の開口端からの亀裂を生じない。しかも、不必要に孔部６が長くならない。
【００２８】
▲３▼  異種の寸法の螺着具24…が適用容易であり、かつ、スムースにセルフタッピングしつつ孔部６内へ誘導案内される。
【図面の簡単な説明】
【図１】本発明の実施の一形態の断面正面図である。
【図２】正面図である。
【図３】側面図である。
【図４】拡大平面図である。
【図５】図４の▲５▼−▲５▼拡大断面説明図である。
【図６】図４の▲６▼−▲６▼拡大断面説明図である。
【図７】本発明の実施の別の形態を示す拡大断面説明図である。
【図８】使用方法説明断面図である。
【符号の説明】
１  穿孔刃
２  軸部
２ａ  軸部外周
３  雄ねじ突条
６  孔部
７  スリット部
８  仮連結部
９  脚片
11  テーパ部
12  十字溝部
13  プラスドライバー
13ａ  ビット先端
14  アンカー基端面
15  孔奥部噛合部
24  取付用螺着具
Ｐ  基端
Ｔ  沈み込み寸法
θ  傾斜角度
【図１】
0003641176.tif 000002
【図２】
0003641176.tif 000003
【図３】
0003641176.tif 000004
【図４】
0003641176.tif 000005
【図５】
0003641176.tif 000006
【図６】
0003641176.tif 000007
【図７】
0003641176.tif 000008
【図８】
0003641176.tif 000009